(57)【要約】【課題】他の録画装置で録画された映像コンテンツの中から所望の映像コンテンツを素早くかつ容易に検索することができる録画装置を提供する。【解決手段】記録媒体に記録された該記録媒体の識別情報を読み出す読出手段と、該読出手段が読み出した記録媒体の識別情報を記録するドライブ記録部２２と、前記記録媒体に映像コンテンツを録画する録画手段とを備える録画装置１において、ドライブ記録部２２に予め記録されている自身の識別情報及びドライブ記録部２２に記録された記録媒体の識別情報に関連付けて、前記録画手段が録画した映像コンテンツに関する情報をドライブ記録部２２に記録する記録手段と、ネットワークに接続する接続手段と、ドライブ記録部２２又は前記接続手段により接続されたネットワークに接続された外部の機器の記録部から映像コンテンツに関する情報を検索する検索手段とを備える。【選択図】図２
2012147128.tif 000002
【特許請求の範囲】
【請求項１】
記録媒体に記録された該記録媒体の識別情報を読み出す読出手段と、
該読出手段が読み出した記録媒体の識別情報を記録する記録部と、
前記記録媒体に映像コンテンツを録画する録画手段と
を備える録画装置において、
前記記録部に予め記録されている自身の識別情報及び前記記録部に記録された記録媒体の識別情報に関連付けて、前記録画手段が録画した映像コンテンツに関する情報を該記録部に記録する記録手段と、
ネットワークに接続する接続手段と、
前記記録部又は前記接続手段により接続されたネットワークに接続された外部の機器の記録部から映像コンテンツに関する情報を検索する検索手段と
を備えることを特徴とする録画装置。
【請求項２】
前記映像コンテンツに関する情報は、該映像コンテンツを再生することが可能な映像データを含み、
前記検索手段が検索した検索結果に基づいて、前記映像データに応じたサムネイルを一覧表示するためのデータを生成する生成手段を備える
ことを特徴とする請求項１に記載の録画装置。
【請求項３】
前記記録手段は、前記自身の識別情報及び前記記録媒体の識別情報に関連付けて、前記録画手段が録画した映像コンテンツに対応するユーザの識別情報を記録するようにしてあり、
前記検索手段は前記記録手段が記録したユーザの識別情報を検索するようにしてあり、
前記生成手段は、前記自身の識別情報、前記記録媒体の識別情報又は前記記録手段により記録されたユーザの識別情報が前記サムネイルに対応して表示される態様で、該サムネイルを一覧表示するためのデータを生成するようにしてある
ことを特徴とする請求項２に記載の録画装置。
【請求項４】
前記録画手段が映像コンテンツを録画した記録媒体から該映像コンテンツを再生する再生手段を備え、
前記記録手段は、前記再生手段が映像コンテンツの再生を停止した場合、再生を停止した該映像コンテンツの箇所に基づいて、該映像コンテンツを最後まで再生することが可能な映像データを記録するようにしてある
ことを特徴とする請求項１から請求項３までのいずれか一項に記載の録画装置。
【請求項５】
前記記録手段は、前記再生手段が映像コンテンツの再生を停止した場合、再生を停止した該映像コンテンツの箇所に基づいて、該映像コンテンツの一部をサムネイルとして再生することが可能な映像データを記録するようにしてある
ことを特徴とする請求項４に記載の録画装置。
【発明の詳細な説明】
【技術分野】
【０００１】
本発明は、録画した映像コンテンツを検索する録画装置に関する。
【背景技術】
【０００２】
放送されるテレビ番組、カメラで撮影した映像等の映像コンテンツをビデオカセットテープ、ＤＶＤ（Digital Versatile Disk）、ＢＤ（Blu-ray Disk、登録商標）等の記録媒体に録画し、その記録媒体に録画した映像コンテンツを再生することが行われている。しかし、録画された記録媒体の数が増えるに従い、視聴したい映像コンテンツを探すことに時間がかかるようになる。
【０００３】
特許文献１には、複数のビデオカセットテープのテープＮｏ、ビデオカセットテープに録画された番組の番組名、ジャンル、録画日時等の情報を記録するメモリを備えた映像記録再生装置が開示されている。当該映像記録再生装置は、メモリに記録した情報を検索し、検索結果を文字情報として画面に一覧表示する。
【先行技術文献】
【特許文献】
【０００４】
【特許文献１】特開２００７−４９７２７号公報
【発明の概要】
【発明が解決しようとする課題】
【０００５】
ところで、各家庭に録画装置が普及し、複数台の録画装置を有する家庭も珍しくない。かかる家庭では、録画装置の内部メモリに録画した映像コンテンツに関する情報を記録しても、他の録画装置ではその情報を検索することができない。
【０００６】
本発明は斯かる事情に鑑みてなされたものであり、その目的は、他の録画装置で録画された映像コンテンツの中から所望の映像コンテンツを素早くかつ容易に検索することができる録画装置を提供することにある。
【課題を解決するための手段】
【０００７】
本願に係る録画装置は、記録媒体に記録された該記録媒体の識別情報を読み出す読出手段と、該読出手段が読み出した記録媒体の識別情報を記録する記録部と、前記記録媒体に映像コンテンツを録画する録画手段とを備える録画装置において、前記記録部に予め記録されている自身の識別情報及び前記記録部に記録された記録媒体の識別情報に関連付けて、前記録画手段が録画した映像コンテンツに関する情報を該記録部に記録する記録手段と、ネットワークに接続する接続手段と、前記記録部又は前記接続手段により接続されたネットワークに接続された外部の機器の記録部から映像コンテンツに関する情報を検索する検索手段とを備えることを特徴とする。
【０００８】
本願に係る録画装置では、自身の識別情報及び記録媒体に記録された識別情報に関連付けて、記録媒体に録画した映像コンテンツに関する情報を記録部に記録する記録手段を備えている。検索手段は、記録部から記録媒体に録画した映像コンテンツを検索する。あるいは、検索手段は、ネットワークに接続された外部の機器の記録部から映像コンテンツに関する情報を検索する。
【０００９】
本願に係る録画装置は、前記映像コンテンツに関する情報は、該映像コンテンツを再生することが可能な映像データを含み、前記検索手段が検索した検索結果に基づいて、前記映像データに応じたサムネイルを一覧表示するためのデータを生成する生成手段を備えることを特徴とする。
【００１０】
本願に係る録画装置では、記録媒体に録画した映像コンテンツに関する情報には、映像コンテンツを再生することが可能な映像データが含まれている。検索手段が検索した検索結果に基づいて、映像コンテンツを再生することが可能な映像データに応じたサムネイルが一覧表示されるデータを生成する。
【００１１】
本願に係る録画装置は、前記記録手段は、前記自身の識別情報及び前記記録媒体の識別情報に関連付けて、前記録画手段が録画した映像コンテンツに対応するユーザの識別情報を記録するようにしてあり、前記検索手段は前記記録手段が記録したユーザの識別情報を検索するようにしてあり、前記生成手段は、前記自身の識別情報、前記記録媒体の識別情報又は前記記録手段により記録されたユーザの識別情報が前記サムネイルに対応して表示される態様で、該サムネイルを一覧表示するためのデータを生成するようにしてあることを特徴とする。
【００１２】
本願に係る録画装置では、自身の識別情報及び記録媒体に記録された識別情報に関連付けて、記録媒体に録画した映像コンテンツに対応するユーザの識別情報（例えば、録画者名）を記録する記録手段を備えている。検索手段は、記録媒体に録画した映像コンテンツに対応するユーザの識別情報を検索する。自身の識別情報、記録媒体の識別情報又は記録媒体に録画した映像コンテンツに対応するユーザの識別情報がサムネイルに対応して表示される様態で、このサムネイルが一覧表示されるデータを生成する。
【００１３】
本願に係る録画装置は、前記録画手段が映像コンテンツを録画した記録媒体から該映像コンテンツを再生する再生手段を備え、前記記録手段は、前記再生手段が映像コンテンツの再生を停止した場合、再生を停止した該映像コンテンツの箇所に基づいて、該映像コンテンツを最後まで再生することが可能な映像データを記録するようにしてあることを特徴とする。
【００１４】
本願に係る録画装置では、記録手段は、記録媒体に録画した映像コンテンツの再生を停止した場合、停止した映像コンテンツの箇所に基づいて、この映像コンテンツを最後まで再生することができる映像データを記録する。
【００１５】
本願に係る録画装置は、前記記録手段は、前記再生手段が映像コンテンツの再生を停止した場合、再生を停止した該映像コンテンツの箇所に基づいて、該映像コンテンツの一部をサムネイルとして再生することが可能な映像データを記録するようにしてあることを特徴とする。
【００１６】
本願に係る録画装置では、記録手段は、記録媒体に録画した映像コンテンツの再生を停止した場合、再生を停止した該映像コンテンツの箇所に基づいて、この映像コンテンツの一部をサムネイルとして再生することが可能な映像データを記録する。
【発明の効果】
【００１７】
本願に係る録画装置によれば、他の録画装置で録画された映像コンテンツの中から所望の映像コンテンツを素早くかつ容易に検索することができる。
【図面の簡単な説明】
【００１８】
【図１】録画装置の外観を示す概念図である。
【図２】録画装置の内部構成を示すブロック図である。
【図３】ディスク情報管理領域のレコードレイアウトを示す説明図である。
【図４】サムネイル記録領域のレコードレイアウトを示す説明図である。
【図５】未再生映像記録領域のレコードレイアウトを示す説明図である。
【図６】録画処理の手順を示すフローチャートである。
【図７】検索画面の表示例の説明図である。
【図８】全件検索した検索結果をリスト表示したリスト表示画面例の説明図である。
【図９】ジャンルにドラマを指定して検索した検索結果をリスト表示したリスト表示画面例の説明図である。
【図１０】再生状況に再生途中と未再生とを指定して検索した検索結果をリスト表示したリスト表示画面例の説明図である。
【図１１】サムネイル表示画面例の説明図である。
【図１２】映像コンテンツの再生終了処理の手順を示すフローチャートである。
【図１３】映像コンテンツの再生終了処理の手順を示すフローチャートである。
【発明を実施するための形態】
【００１９】
以下、本発明の一実施例における録画装置を、実施の形態を示す図面に基づいて説明する。本実施の形態に係る録画装置は、例えばＢＤレコーダ、ＤＶＤレコーダ、ハードディスクレコーダ等を含む。以下では、録画装置の一例として、ＢＤ、ＤＶＤ等のディスク、ビデオカセットテープ、半導体メモリ等（記録媒体）に映像を録画する録画装置を挙げて説明する。
なお、本発明は、以下の実施の形態に限定されるものではない。
【００２０】
実施の形態１
図１は、録画装置１の外観を示す概念図である。リモコン（リモートコントロール）Ｒにより操作される録画装置１は、例えばテレビ放送、ケーブルテレビ放送、インターネット放送等を記録する。録画装置１には、ＴＶ（テレビジョン）受像機４が接続されている。録画装置１は、記録した放送内容を示す映像信号及び音声信号をＴＶ受像機４に出力する。ＴＶ受像機４は、例えばバックライト及び液晶パネルを含む液晶テレビである。ＴＶ受像機４は、受け付けた映像信号に基づく映像を表示し、受け付けた音声信号に基づく音声を出力する。
なお、図１の例では録画装置１とＴＶ受像機４とが別体である場合を示しているが、録画装置１とＴＶ受像機４とが一体になった形態であってもよい。
【００２１】
録画装置１は有線によりルータ８に接続されている。また、他の録画装置９も有線によりルータ８に接続されており、録画装置１、ルータ８及び他の録画装置９はＬＡＮ（Local Area Network）を構成している。ルータ８は、インターネットＮに接続されている。録画装置１と他の録画装置９とは、ＬＡＮを介して互いに情報のやり取りをすることができる。録画装置１と他の録画装置９とは、夫々インターネットＮを介して、外部の装置と情報のやり取りをすることができる。
なお、ＬＡＮは無線ＬＡＮでもよい。録画装置１は、インターネットＮを介して他の録画装置９と接続されていてもよい。他の録画装置９は、録画装置１と同じ構成を有する。
【００２２】
図２は、録画装置１の内部構成を示すブロック図である。録画装置１は、ドライブ装置２及びバックエンド装置３を含む。
ドライブ装置２は、ディスクドライブ（読出手段、録画手段、再生手段）２１、ドライブ記録部（記録部）２２、ドライブ制御部２３及びインタフェース部２４を含む。
【００２３】
ディスクドライブ２１には、ＤＶＤ、ＢＤ等の可搬性を有するディスクＤが着脱可能に挿入される。ディスクドライブ２１は、ディスクＤに記録された映像データを読み出し、バックエンド装置３に出力する。ディスクドライブ２１は、自身に入力された映像データを挿入されたディスクＤに記録する。ディスクＤは、例えば光ディスク、光磁気ディスク、磁気ディスクである。
なお、録画の形態は、ディスクドライブ２１を用いてディスクＤに映像データを記録することに限らない。例えば、録画の形態は、ディスクドライブ２１の代りに携帯型のハードディスク、メモリカード又はフラッシュメモリ等を録画装置１に接続あるいは内蔵する形態であってもよい。あるいは、録画の形態は、ビデオカセットテープに録画するものでもよい。
【００２４】
ディスクＤは、固有のディスクＩＤ（記録媒体の識別情報）を有する。ディスクＩＤは、例えばディスクＤの製造時にディスクＤに記録される製造番号、シリアル番号等である。
なお、ディスクＤの識別情報は、ディスクＤの製造時にディスクＤに予め記録されるディスクＩＤに限らない。例えば、録画装置１は、記録媒体に該記録媒体の識別情報を書き込む手段を備えていてもよい。この場合の識別情報として、ディスクの所有者名とシーケンス番号とを結合したもの、タイムスタンプ等、様々なものが利用されてよい。
【００２５】
ドライブ記録部２２は、ＥＥＰＲＯＭ（Electrically Erasable and Programmable ROM）、フラッシュメモリ、ＦｅＲＡＭ（Ferroelectric RAM）等の不揮発性メモリ又はハードディスクで構成されている。
ドライブ記録部２２には、ディスクＤのディスクＩＤに関連付けて、そのディスクＤの所有者名が記録される。ディスクＤの所有者は個人であってもよく、複数人の共有ディスクＤとして使用してもよい。ドライブ記録部２２は、ディスクＤに録画した映像コンテンツの情報、録画日時、映像コンテンツの一部のストリームデータ等を記録する記録領域でもある。
【００２６】
ドライブ制御部２３は、ＣＰＵ（Central Processing Unit）、ＭＰＵ（Micro Processor Unit）等のプロセッサであり、ドライブ装置２の各構成部を制御する。
インタフェース部２４は、ＳＡＴＡ（Serial Advanced Technology Attachment）規格又はＡＴＡ（Serial Advanced Technology Attachment）規格のインタフェースであり、バックエンド装置３と接続されている。
ドライブ装置２は、インタフェース部２４を介してバックエンド装置３との間でデータの交換をする。ドライブ装置２の各構成部は、システムバス２ｂ上に接続されており、ドライブ制御部２３の指示により、データの受け渡しが行われる。
【００２７】
バックエンド装置３は、デジタルチューナ３１、エンコーダ３２及びストリーム処理部３３を含む。
デジタルチューナ３１は、外部のアンテナＡが受信したＢＳ（放送衛星）デジタル放送、ＣＳ（通信衛星）デジタル放送、地上デジタル放送等の放送信号を受け付ける。デジタルチューナ３１は、受け付けた放送信号の内、選局されたチャンネル即ち特定の周波数帯の放送信号をＭＰＥＧ（Moving Picture Experts Group）−２ＴＳ（Transport Stream）等のデジタルのストリームデータに変換する。
【００２８】
エンコーダ３２は、外部の再生装置、ネットワークにより接続されたサーバ装置、ケーブルテレビの回線等から映像信号及び音声信号を受け付ける。エンコーダ３２は、外部から受け付けた映像信号及び音声信号をＭＰＥＧ−２ＰＳ（Program Stream）、ＭＰＥＧ−２ＴＳ等のデジタルのストリームデータにエンコードする処理を行う。
【００２９】
ストリーム処理部３３は、デジタルチューナ３１及びエンコーダ３２に接続されており、デジタルチューナ３１及びエンコーダ３２からストリームデータを受け付ける。ストリーム処理部３３は、受け付けたストリームデータに対して多重ストリームの分離処理を行う。また、ストリーム処理部３３は、分離したパケットについてデジタル放送用のスクランブルを解除する処理等を行う。
【００３０】
ストリーム処理部３３は、受け付けたストリームデータに係る映像コンテンツを視聴する場合、データ処理を施したストリームデータを後述するデコーダ３６に出力する。また、ストリーム処理部３３は、受け付けたストリームデータに係る映像コンテンツを記録する場合、データ処理を施したストリームデータをドライブ装置２に出力する。
ストリーム処理部３３からデコーダ３６への出力と、ストリーム処理部３３からドライブ装置２への出力とは、両方同時に実行されてもよく、何れか一方のみが実行されてもよい。また、デコーダ３６へ出力されるストリームデータと、ドライブ装置２へ出力されるストリームデータとは、同じであってもよいし、異なっていてもよい。
【００３１】
バックエンド装置３は、バックエンド制御部（記録手段、検索手段）３４、バックエンド記録部３５、デコーダ（生成手段）３６、画像処理部（生成手段）３７及びインタフェース部３８を含む。
バックエンド制御部３４は、ＣＰＵ、ＭＰＵ等のプロセッサであり、バックエンド装置３の各構成部を制御する。
バックエンド記録部３５は、不揮発性メモリ及び揮発性メモリから構成され、バックエンド制御部３４が実行するプログラム、作業変数、一時的な情報及び恒常的な情報を記録する。バックエンド記録部３５が記録する情報は、例えば機器ＩＤ（自身の識別情報）、番組録画の予約情報、ドライブ記録部２２が記録するデータの管理情報等である。機器ＩＤは、録画装置１をＬＡＮ又はインターネットＮ上において特定することができる情報であり、例えばＩＰアドレス、ＭＡＣアドレス、これらの組み合わせ等である。機器ＩＤは予めドライブ記録部２２又はバックエンド記録部３５に記録されており、バックエンド制御部３４は必要に応じてドライブ記録部２２又はバックエンド記録部３５から機器ＩＤを読み出すことができる。
【００３２】
デコーダ３６は、ストリーム処理部３３又はドライブ装置２からストリームデータを受け付ける。デコーダ３６は受け付けたストリームデータを映像信号及び音声信号にデコードし、デコードした映像信号及び音声信号を画像処理部３７に出力する。デコーダ３６は、ドライブ装置２からサムネイル用のストリームデータを受け付けた場合、受け付けたストリームデータをサムネイル用の映像信号にデコードし、デコードした映像信号を画像処理部３７に出力する。
なお、サムネイルは縮小画像であるため、画質を落としても視聴者には目立たない。そこで、サムネイル用の映像データは、画素数を少なくする等の間引き処理が施されてもよい。
【００３３】
画像処理部３７は、デコーダ３６から映像信号及び音声信号を受け付け、受け付けた映像信号に対して画素の補間又は色調整等の画像処理を実行する。画像処理部３７は、画像処理を施した映像信号及び音声信号を図示しないインタフェースを介して、外部のＴＶ受像機４に出力する。また、画像処理部３７は、デコーダ３６からサムネイル用の映像信号を受け付けた場合、検索結果としてのサムネイルを一覧表示するための映像信号を生成し、外部のＴＶ受像機４に出力する。
【００３４】
インタフェース部３８は、ＳＡＴＡ規格又はＡＴＡ規格のインタフェースであり、ドライブ装置２と接続されている。
バックエンド装置３は、インタフェース部３８を介してドライブ装置２との間でデータの交換をする。
【００３５】
バックエンド装置３は、計時部３９、受信部４０及び通信部（接続手段）４１を含む。
計時部３９は、時刻、日付及び曜日を計時する。
受信部４０は、外部のリモコンＲから、例えば赤外線方式、Ｂｌｕｅｔｏｏｔｈ（登録商標）方式、ＲＦ(Radio Frequency)方式等により、各種操作に係る信号を受信し、受信した信号をバックエンド制御部３４に出力する。
通信部４１は、例えば有線または無線のモデム又はＬＡＮカード等であり、ルータ８と有線又は無線により接続されている。
ストリーム処理部３３、バックエンド制御部３４、バックエンド記録部３５、デコーダ３６、インタフェース部３８、計時部３９及び通信部４１は、システムバス３ｂ上に接続されており、バックエンド制御部３４の指示により、データの受け渡しが行われる。
【００３６】
バックエンド制御部３４は、受信部４０を介してリモコンＲから受信した信号に基づいて、ドライブ装置２の各構成部を制御する制御信号をドライブ装置２のドライブ制御部２３に出力する。ドライブ制御部２３は、バックエンド制御部３４から出力された制御信号を受け付け、受け付けた制御信号に基づいてドライブ装置２の各構成部を制御する。即ち、バックエンド制御部３４は、ドライブ装置２の各構成部を間接的に制御する。
【００３７】
なお、ドライブ装置２の制御は、バックエンド制御部３４とドライブ制御部２３とが協働して行われる構成に限るものではない。例えば、ドライブ記録部２２に対する各種データの入出力を、バックエンド制御部３４がドライブ制御部２３を介さずに直接的に実行する構成でもよい。あるいは、ドライブ制御部２３はなくてもよい。
録画装置１は、ドライブ記録部２２とバックエンド記録部３５との２つの記録部を備えているが、一方の記録部が他方の記録部の役割を兼任することにより、ドライブ記録部２２とバックエンド記録部３５との何れか一方はなくてもよい。
図２では、録画装置１がドライブ装置２とバックエンド装置３とに分かれた構成例を示した。しかし、録画装置１は、ドライブ装置２とバックエンド装置３とが結合した構成を有してもよい。
【００３８】
本実施の形態の検索処理に係る情報を記録するドライブ記録部２２の構成について詳述する。ドライブ記録部２２は、ディスク情報管理領域２２ａ、サムネイル記録領域２２ｂ及び未再生映像記録領域２２ｃを含む。
【００３９】
図３は、ディスク情報管理領域２２ａのレコードレイアウトを示す説明図である。ディスク情報管理領域２２ａは、ディスクＤに録画する映像コンテンツの内容、機器ＩＤ、ディスクＩＤ、録画者名等の情報を記録する記録領域である。具体的には、ディスク情報管理領域２２ａは、機器ＩＤ、管理番号、ディスクＩＤ、録画者、再生済時間、録画時間、タイトル、ジャンル及び録画日時の各フィールドを含む。
機器ＩＤは、録画装置１をＬＡＮ又はインターネットＮで特定することができる情報であり、例えばＩＰアドレス、ＭＡＣアドレス、これらの組み合わせ等である。なお、機器ＩＤと対応付けた任意の名称を設定することができるようにしてもよい。この任意の名称はユーザが設定することができる。録画装置１は、機器ＩＤとユーザが設定した名称とを対応付けてドライブ記録部２２又はバックエンド記録部３５に記録する。録画装置１は、ユーザに対してはユーザ自身が設定した名称を表示し、ユーザがその名称を選択、入力等により設定した場合、内部的にはその名称を機器ＩＤとして処理する。
【００４０】
管理番号は、録画する映像コンテンツを識別するための番号であり、自動発番による連番である。ディスクＩＤは、上述したディスクＤを識別する製造番号等である。録画者は、録画者名である。なお、録画者はＩＤ等の録画者を識別することができる情報であればよく、録画者名に限らない。再生済時間は、録画後に映像コンテンツを再生した時間である。録画時に再生済時間として、０:００:００が記録される。録画時間は、映像コンテンツを録画した時間であり、番組の放送時間、映画の上映時間等に相当する。タイトルは、映像コンテンツの題名である。ジャンルは映像コンテンツの種類である。録画日時は、録画終了時の日時である。録画日時は、録画開始時の日時でもよい。
なお、ディスク情報管理領域２２ａは、ディスクＩＤに対応するディスクＤの所有者名と、録画日時の曜日と、放送番組を録画した場合の放送チャンネルとの各フィールドを含んでもよい。
【００４１】
図４は、サムネイル記録領域２２ｂのレコードレイアウトを示す説明図である。サムネイル記録領域２２ｂは、ディスクＤに録画した映像コンテンツの検索結果をサムネイルで表示するためのストリームデータを記録する記録領域である。サムネイル記録領域２２ｂは、機器ＩＤ、管理番号及び動画サムネイルの各フィールドを含む。機器ＩＤ及び管理番号は、夫々ディスク情報管理領域２２ａの管理番号と同じである。動画サムネイルは、管理番号に対応する映像コンテンツのストリームデータである。ストリームデータは、例えば映像コンテンツの先頭から１分間の部分の映像データである。なお、記録される動画サムネイルのストリームデータの映像コンテンツ全体に対する箇所又は位置と、再生時間とは、映像コンテンツ毎にユーザが変更することができる。
【００４２】
図５は、未再生映像記録領域２２ｃのレコードレイアウトを示す説明図である。未再生映像記録領域２２ｃは、録画後に映像コンテンツを再生し、途中で再生を停止した場合、残りの未再生映像コンテンツのストリームデータを記録する記録領域である。未再生映像記録領域２２ｃは、機器ＩＤ、管理番号及び未再生映像データの各フィールドを含む。機器ＩＤ及び管理番号は、夫々ディスク情報管理領域２２ａの管理番号と同じである。未再生映像データは、ディスクＤに録画した映像コンテンツを再生し、途中で再生を停止した場合、再生を停止した箇所から最後までの残りの未再生映像コンテンツのストリームデータである。なお、再生を停止した箇所は、ディスクＤ上の記録位置、ディスクＤ上のアドレス、録画時間に対する先頭からの再生時間、映像コンテンツの全記録容量に対する再生が終了した部分の映像コンテンツの記録容量、コンテンツのシーン番号等、様々なもので示されてよい。
【００４３】
次に、録画装置１の動作について説明する。まず、録画装置１の録画処理の動作から説明する。
バックエンド制御部３４は、ディスクＤがディスクドライブ２１に挿入され、予約録画の指定時間になった場合又はリモコンＲから録画の制御信号を受け付けた場合、録画処理を実行する。バックエンド制御部３４は、録画処理時に映像コンテンツの情報等をディスク情報管理領域２２ａに記録する。また、バックエンド制御部３４は、録画処理時にサムネイル用の映像データをサムネイル記録領域２２ｂに記録する。
【００４４】
録画を行うユーザは、録画前に自分の名前を録画者名として録画装置１に入力する。この入力は、予め録画装置１にユーザ登録を行っておき、登録されたユーザ名を、リモコンＲを介して選択することにより行う。
なお、ディスクＤの所有者が自己のディスクＤに録画する場合が多いことから、ディスクＤの所有者名を録画者名にデフォルト設定する形態でもよい。かかる場合、バックエンド制御部３４は、ディスクＩＤに対応するディスクＤの所有者名をドライブ記録部２２から読み出し、録画者に設定する。ディスクＤの所有者と異なるユーザが録画する場合、そのユーザがデフォルト設定された録画者名を上述の入力操作により変更してもよい。
【００４５】
図６は、録画処理の手順を示すフローチャートである。
バックエンド制御部３４は、機器ＩＤ及び録画者名を取得する（ステップＳ１０１）。以下、バックエンド制御部３４は、取得及び設定した情報をバックエンド記録部３５に一時的に記録する。バックエンド制御部３４は、管理番号を設定する（ステップＳ１０２）。バックエンド制御部３４は、録画する映像コンテンツのタイトル及びジャンルを取得する（ステップＳ１０３）。バックエンド制御部３４は、映像コンテンツのタイトル及びジャンルを例えばＥＰＧ（Electronic Program Guide：電子番組表）から取得する。
【００４６】
バックエンド制御部３４は、ディスクドライブ２１に挿入されたディスクＤからディスクＩＤを読み出し、ディスクＩＤを取得する（ステップＳ１０４）。バックエンド制御部３４は、ディスクＤに映像コンテンツの録画を開始する（ステップＳ１０５）。ステップＳ１０５は、バックエンド制御部３４が計時部３９からの計時に基づき、録画開始日時をバックエンド記録部３５に記録する処理を含む。バックエンド制御部３４は、サムネイル記録領域２２ｂにサムネイル用の映像データを記録する（ステップＳ１０６）。サムネイル用の映像データは、例えば映像コンテンツの先頭から１分間の映像データである。ただし、ユーザは映像コンテンツにおけるサムネイル用の映像データの箇所又は位置と、再生時間とを変更することができる。
【００４７】
バックエンド制御部３４は、映像コンテンツの録画を終了する（ステップＳ１０７）。バックエンド制御部３４は、予約録画の終了時間になったと計時部３９の計時から判定した場合、又は録画停止の信号を受け付けた場合、ステップＳ１０７の処理を実行する。バックエンド制御部３４は、録画した映像コンテンツに関連付けて、機器ＩＤ及び管理番号をディスクＤに記録する（ステップＳ１０８）。バックエンド制御部３４は、録画日時及び録画時間を取得する（ステップＳ１０９）。ここでの録画日時は、録画終了日時のことである。バックエンド制御部３４は、ステップＳ１０５で取得した録画開始日時と録画終了日時とから録画時間を取得する。バックエンド制御部３４は、上述のステップで取得及び設定した情報をディスク情報管理領域２２ａに記録し（ステップＳ１１０）、処理を終了する。
【００４８】
次に、録画装置１の検索処理の動作について説明する。リモコンＲの所定ボタン押下により、検索画面がＴＶ受像機４の画面に表示される。
図７は、検索画面５の表示例の説明図である。検索画面５には、ディスク情報管理領域２２ａの各フィールドに対応する検索条件が示されている。検索条件は、検索条件項目名の右側に配置された入力ボックス５１に値を選択入力することにより設定する。リモコンＲの例えば十字キー操作により、各入力ボックス５１間をカーソル移動することができる。図７では、機器ＩＤの入力ボックス５１にカーソルがある状態を例示している。
【００４９】
機器ＩＤの入力ボックス５１にカーソルを移動し、リモコンＲの所定ボタンを押下した場合、機器ＩＤの入力ボックスがアクティブになる。この状態でリモコンＲの例えば十字キー操作により、ディスク情報管理領域２２ａに記録されている機器ＩＤを次々と表示させ、所望の機器ＩＤを選択する。機器ＩＤを選択し、リモコンＲの所定ボタンを押下した場合、選択した機器ＩＤが検索条件の１つとして確定される。ディスクＩＤ、タイトル、ジャンル、録画者、録画日時の検索条件も同様の操作により選択入力をする。録画日時は年、月、日毎に指定することができる。検索条件に入れたくない項目に関しては、入力ボックス５１を空欄状態に設定する。図７では、ディスクＩＤに１１１１、録画者に父、ジャンルにドラマを設定した場合を例示している。
なお、録画日時の項目に曜日を追加してもよい。
【００５０】
再生状況は、ディスクＤに録画した映像コンテンツの再生履歴状況を示す。未再生は、まだ映像コンテンツを再生していない場合を示す。再生途中は、映像コンテンツを再生したが、最後まで視聴せず、途中で再生を停止した場合を示す。再生済は、映像コンテンツの再生が終了している場合を示す。再生状況の検索条件は、チェックボックス５２にチェックを入れることにより設定する。例えば、カーソルをチェックボックス５２に移動し、リモコンＲの所定ボタンを押下した場合、チェックが入り、同じボタンをもう一度押下した場合、チェックが解除される。図７では、未再生と再生途中とを検索条件に設定した場合を例示している。
【００５１】
検索結果表示は、検索結果の表示形式を指定する項目である。表示形式には、例えばリスト表示とサムネイル表示とがある。図７では、サムネイル表示を入力ボックス５１に選択入力した場合を例示している。
【００５２】
検索画面５の右下には、検索ボタン５３及び全件検索ボタン５４の２つのボタンが横方向に配列されている。検索ボタン５３は、設定した検索条件で検索を実行するボタンである。全件検索ボタン５４は、設定した検索条件とは無関係に全録画情報の検索を実行するボタンである。カーソルを検索ボタン５３又は全件検索ボタンに移動し、リモコンＲの所定ボタンを押下した場合、バックエンド制御部３４はディスク情報管理領域２２ａに記録されたレコードを、指定された条件で検索する。
【００５３】
ここで、バックエンド制御部３４は、自身に対応する機器ＩＤが検索条件に指定された場合、自身の機器ＩＤを備える録画装置１に係るディスク情報管理領域２２ａにアクセスする。一方、バックエンド制御部３４は、自身が属さない外部の録画装置９の機器ＩＤが検索条件に指定された場合、通信部４１を介して指定された機器ＩＤの録画装置９に係るディスク情報管理領域２２ａにアクセスする。そして、バックエンド制御部３４は、機器ＩＤ以外の検索条件に基づいて、自身の機器ＩＤに対応するディスク情報管理領域２２ａ又は自身が属さない機器ＩＤに対応する外部の録画装置９のディスク情報管理領域２２ａからレコードを検索する。
なお、自身が属さない録画装置９の機器ＩＤが検索条件に指定された場合、バックエンド制御部３４がアクセスする先の記録手段は録画装置１のディスク情報管理領域２２ａに限らない。アクセス先の記録手段は録画装置１、９のディスク情報管理領域２２ａのデータがコピーされた記録装置又は情報処理装置であってもよい。例えば、録画装置１のディスク情報管理領域２２ａのデータを自宅のＰＣ（パーソナルコンピュータ）のハードディスクにコピーし、自宅外からポータブル型の録画装置９により、自宅のＰＣにアクセスしてもよい。かかる場合、検索を実行する録画装置９は、検索条件の機器ＩＤを例えばＰＣのＩＰアドレスに置換し、ＰＣにアクセスする。
バックエンド制御部３４は、検索結果をＴＶ受像機４の画面に表示する。
【００５４】
図８は、全件検索した検索結果をリスト表示したリスト表示画面６ａ例の説明図である。リスト表示画面６ａには、機器ＩＤ、管理番号、ディスクＩＤ、録画者、再生済時間、録画時間、タイトル、ジャンル、録画日時及び再生状況の各データが一覧表示される。
図８では、録画者の父及び母は機器ＩＤが０００１である録画装置１を使用し、録画者の子供Ａ及び子供Ｂは機器ＩＤが０００２である録画装置１を使用している場合を仮定している。また図８では、録画者の父はディスクＩＤが１１１１であるディスクＤを使用し、録画者の母はディスクＩＤが２２２２であるディスクＤを使用する場合を仮定している。さらに図８では、録画者の子供ＡはディスクＩＤが３３３３であるディスクＤを使用し、録画者の子供ＢはディスクＩＤが４４４４であるディスクＤを使用する場合を仮定している。
【００５５】
再生状況については、バックエンド制御部３４が再生済時間と録画時間とを比較することにより、未再生、再生途中及び再生済の内から１つのステータスを判定する。図８のリスト表示画面６ａの例では、再生状況を”済”、”途中”及び”未”に分類した文字を夫々横方向の異なる位置に表示している。
なお、再生状況は、未再生、再生途中及び再生済のステータスを夫々わかりやすいアイコンで表示してもよい。
【００５６】
図８のリスト表示画面６ａには、録画情報が機器ＩＤ及び管理番号の昇順で示されている。
なお、リスト表示画面６ａにおけるレコードの表示順序は、機器ＩＤ及び管理番号の昇順に限るものではない。様々な項目による並べ替えの設定手段を検索画面５に備えることにより、ユーザがレコードの表示順序を指定するようにしてもよい。
【００５７】
図９は、ジャンルにドラマを指定して検索した検索結果をリスト表示したリスト表示画面６ｂ例の説明図である。図１０は、再生状況に再生途中と未再生とを指定して検索した検索結果をリスト表示したリスト表示画面６ｃ例の説明図である。リスト表示画面６ｂ、６ｃの表示態様は、どちらもリスト表示画面６ａと同じである。また、図９及び図１０における録画者、機器ＩＤ及びディスクＩＤの対応関係は、図８における録画者、機器ＩＤ及びディスクＩＤの対応関係と同じである。
【００５８】
検索画面５の検索結果表示の入力ボックス５１で、サムネイル表示を選択した場合、検索結果がサムネイル表示画面として表示される。サムネイル表示を選択し、カーソルを検索ボタン５３又は全件検索ボタンに移動し、リモコンＲの所定ボタンを押下した場合、バックエンド制御部３４は上述と同様の検索を実行する。また、バックエンド制御部３４は、検索でヒットした機器ＩＤ及び管理番号に対応する映像コンテンツの映像データを、自身の機器ＩＤに対応するサムネイル記録領域２２ｂ又は自身が属さない機器ＩＤに対応する外部の録画装置９のサムネイル記録領域２２ｂから読み出す。バックエンド制御部３４が読み出したサムネイル用の映像データは、デコーダ３６によりデコードされ、画像処理部３７に出力される。画像処理部３７は、受け付けた映像データからサムネイルを一覧表示するための映像信号を生成する。また、画像処理部３７は、検索結果の録画情報もバックエンド制御部３４からデコーダ３６を介して受け取り、サムネイル表示画面の映像信号を生成する。
【００５９】
図１１は、サムネイル表示画面７例の説明図である。サムネイル表示画面７は、略矩形の動画表示セル７１が一覧表示される画面である。１つの動画表示セル７１は、検索結果のレコード１件に該当する。動画表示セル７１は、サムネイル表示部７１ａと、サムネイル表示部７１ａの下側に配置される文字情報表示部７１ｂと、サムネイル表示部７１ａ及び文字情報表示部７１ｂの外周を取り巻く額縁状の枠表示エリア７１ｃとを含む。
サムネイル表示部７１ａには、ディスクＤに録画した映像コンテンツの先頭部分から１分間分の動画がリピート再生される。サムネイル表示部７１ａに表示される動画の映像コンテンツにおける箇所又は位置と、再生時間とは、ユーザの好みに応じて適宜カスタマイズが可能である。
なお、サムネイル表示部７１ａに静止画サムネイルを表示してもよい。サムネイル表示部７１ａと文字情報表示部７１ｂとの配置関係は、上述に限らない。文字情報表示部７１ｂがサムネイル表示部７１ａに対して上側でもよいし、サムネイル表示部７１ａと文字情報表示部７１ｂとは横方向に配列してもよい。また、文字情報表示部７１ｂはなくてもよい。
【００６０】
文字情報表示部７１ｂには、映像コンテンツに関する文字情報が表示される。文字情報表示部７１ｂの左上角部には、機器ＩＤ及び管理番号が表示される。機器ＩＤ及び管理番号に続いて、ディスクＩＤ、再生済時間、録画時間、タイトル、ジャンル、録画日時が横書きで表示される。ただし、文字情報表示部７１ｂに表示される各項目は、ユーザが適宜取捨選択することができる。映像コンテンツの再生状況は、文字情報表示部７１ｂの背景色により区分けされて表示される。例えば、再生済である場合は青色、再生途中である場合は黄色、及び未再生である場合は緑色である。この再生状況を示す文字情報表示部７１ｂの背景色は、バックエンド記録部３５に再生状況のステータスと対応付けて記録されている。バックエンド制御部３４は、サムネイル表示画面７を表示する場合、バックエンド記録部３５から再生状況のステータス及び背景色を読み出し、映像コンテンツの再生状況に応じて文字情報表示部７１ｂに該当する背景色を設定する。
なお、バックエンド記録部３５に記録された再生状況を示す背景色は、ユーザによりカスタマイズが可能である。
【００６１】
枠表示エリア７１ｃには、録画者に対応した背景色で塗りつぶされた状態が表示される。この録画者を示す背景色は、録画者と対応付けてバックエンド記録部３５に記録されている。バックエンド制御部３４は、サムネイル表示画面７を表示する場合、バックエンド記録部３５から録画者及び背景色を読み出し、録画者に応じて枠表示エリア７１ｃに該当する背景色を設定する。
なお、バックエンド記録部３５に記録される録画者を示す背景色は、バックエンド制御部３４により録画者毎に自動設定されるが、ユーザがカスタマイズすることもできる。また、録画者名は文字情報表示部７１ｂに表示されてもよい。
【００６２】
リモコンＲの例えば十字キー操作により、リスト表示画面６ａ、６ｂ、６ｃの行又はサムネイル表示画面７の動画表示セル７１の間をカーソル移動することができる。所望の行又は動画表示セル７１が選択状態である場合、リモコンＲの所定ボタンを押下することにより、行又は動画表示セル７１に対応した映像コンテンツが再生される。ただし、ディスクドライブ２１に、行又は動画表示セル７１に対応する機器ＩＤ及び管理番号の映像コンテンツを録画したディスクＤが挿入されていない場合、該当するディスクＤの挿入を促すメッセージが、画像又は音声によりＴＶ受像機４から出力される。メッセージ出力の後、該当するディスクＤがディスクドライブ２１に挿入された場合、指定した映像コンテンツの再生が開始される。
【００６３】
映像コンテンツを録画したディスクＤをディスクドライブ２１に挿入し、映像コンテンツを全て再生した場合、バックエンド制御部３４は再生終了時にディスク情報管理領域２２ａの再生済時間を更新する。また、ユーザが映像コンテンツの再生を途中で停止した場合、バックエンド制御部３４は、映像コンテンツの再生停止時に、ディスク情報管理領域２２ａの再生済時間を更新するとともに、未再生映像記録領域２２ｃに未再生部分のストリームデータを記録する。映像コンテンツの再生を再開する場合、バックエンド制御部３４は未再生映像記録領域２２ｃから該当する映像データを読み出し、映像コンテンツの再生を開始する。これにより、ユーザはディスクＤがディスクドライブ２１に挿入されていなくても、映像コンテンツの続きを楽しむことができる。
【００６４】
上述において、再生した映像コンテンツに対応してディスク情報管理領域２２ａに記録された機器ＩＤが、再生に係る録画装置１とは別の録画装置９に対応する機器ＩＤである場合がある。すなわち、映像コンテンツを録画した外部の録画装置９と当該映像コンテンツを再生する録画装置１とが異なる場合がある。かかる場合、バックエンド制御部３４は、上述の更新処理及び未再生部分のストリームデータの記録処理を、通信部４１を介して、機器ＩＤに対応する外部の録画装置９のドライブ記録部２２に行う。
また、映像コンテンツの再生を再開する場合、再生を再開する録画装置１に対応する機器ＩＤと異なる機器ＩＤに係る映像コンテンツの再生を再開する場合がある。すなわち、映像コンテンツを録画した外部の録画装置９と当該映像コンテンツの再生を再開する録画装置１とが異なる場合がある。かかる場合、バックエンド制御部３４は、通信部４１を介して、対応する外部の録画装置９の未再生映像記録領域２２ｃから該当する映像データを読み出す。そして、バックエンド制御部３４は、当該映像コンテンツの再生を開始する。
【００６５】
図１２は、映像コンテンツの再生終了処理の手順を示すフローチャートである。以下のバックエンド制御部３４は、外部の録画装置９のバックエンド制御部３４ではなく、録画装置１のバックエンド制御部３４である。
バックエンド制御部３４は、ディスクＤに録画された映像コンテンツの再生が全て終了したか否か判定する（ステップＳ２０１）。バックエンド制御部３４は、ディスクＤに録画された映像コンテンツの再生が全て終了したと判定した場合（ステップＳ２０１：ＹＥＳ）、ステップＳ２０６に処理を進める。バックエンド制御部３４は、ディスクＤに録画された映像コンテンツの再生が全て終了してないと判定した場合（ステップＳ２０１：ＮＯ）、再生停止の制御信号を受け付けたか否か判定する（ステップＳ２０２）。バックエンド制御部３４は、再生停止の制御信号を受け付けていないと判定した場合（ステップＳ２０２：ＮＯ）、ステップＳ２０１に処理を戻す。バックエンド制御部３４は、再生停止の制御信号を受け付けたと判定した場合（ステップＳ２０２：ＹＥＳ）、ディスクＤに録画された映像コンテンツの再生を停止する（ステップＳ２０３）。
【００６６】
バックエンド制御部３４は、未再生映像データが機器ＩＤに対応する録画装置１、９の未再生映像記録領域２２ｃに記録済みか否か判定する（ステップＳ２０４）。バックエンド制御部３４は、未再生映像データが機器ＩＤに対応する録画装置１、９の未再生映像記録領域２２ｃに記録済みと判定した場合（ステップＳ２０４：ＹＥＳ）、ステップＳ２０６に処理を進める。バックエンド制御部３４は、未再生映像データが機器ＩＤに対応する録画装置１、９の未再生映像記録領域２２ｃに記録済みではないと判定した場合（ステップＳ２０４：ＮＯ）、未再生映像データを機器ＩＤに対応する録画装置１、９の未再生映像記録領域２２ｃに記録する（ステップＳ２０５）。バックエンド制御部３４は、計時部３９の計時に基づいて、機器ＩＤに対応する録画装置１、９のディスク情報管理領域２２ａの再生済時間を更新し（ステップＳ２０６）、処理を終了する。
【００６７】
未再生映像データが機器ＩＤに対応する録画装置１、９の未再生映像記録領域２２ｃに記録済みであると、バックエンド制御部３４により判定される場合（ステップＳ２０４：ＹＥＳ）とは、次の場合である。すなわち、ユーザがディスクＤに録画された映像コンテンツの再生開始及び再生途中停止をすでに行っている場合である。かかる状態で、図１２の再生終了処理プログラムが呼び出された場合、ステップＳ２０５はすでに実行されており、未再生映像データは機器ＩＤに対応する録画装置１、９の未再生映像記録領域２２ｃに記録済みとなっている。
【００６８】
録画装置１によれば、他の録画装置９で録画された映像コンテンツの中から所望の映像コンテンツを素早くかつ容易に検索することができる。
ユーザは、自分専用の録画装置１と自分専用のディスクＤとを持つ場合がある。ディスクＤに映像コンテンツが録画される場合、録画装置１のドライブ記録部２２には機器ＩＤ及びディスクＩＤにより特定することのできる映像コンテンツに関する情報が記録される。自分専用の録画装置１と自分専用でない別の録画装置９とがＬＡＮ等により接続されている場合、ユーザは別の録画装置９を操作し、自分専用の録画装置１で録画した映像コンテンツを検索することができる。しかも、検索条件及び検索結果にはディスクＩＤが含まれるため、ユーザは自分のディスクＤに録画した映像コンテンツを素早く見つけることができる。
録画装置１によれば、複数の録画装置１及び録画装置９の間で録画した映像コンテンツに関する情報をやり取りすることができるので、録画に使用した録画装置１が遠くにある場合でも、近くに他の録画装置９があれば、ユーザは録画装置９を操作することにより容易に録画したコンテンツの検索をすることができる。
【００６９】
本実施の形態１では、複数の録画装置１、９をネットワークで接続し、夫々の録画装置１、９が備えるドライブ記録部２２に記録された映像コンテンツに関する情報を、任意の１台の録画装置１、９から検索する形態を説明した。しかし、ある録画装置１のドライブ記録部２２に記録したデータをディスクＤに記録し、そのディスクＤから別の録画装置９のドライブ記録部２２に当該データをコピーしてもよい。これにより、複数の録画装置１、９がネットワークで接続されていない場合であっても、録画装置１は自身とは別の録画装置９において録画された映像コンテンツの検索をすることができる。
【００７０】
録画装置１は、ドライブ記録部２２のディスク情報管理領域２２ａ、サムネイル記録領域２２ｂ及び未再生映像記録領域２２ｃに記録されたデータを編集することができる機能を有していてもよい。当該編集機能はドライブ記録部２２に記録されたレコードの削除、変更を含む。さらに、当該編集機能は、通信部４１を介して接続された別の録画装置９との間における、各ドライブ記録部２２に記録されたレコードの移動又はコピーを含む。複数の録画装置１、９を持つユーザは、予め録画に使用した録画装置１とは別の録画装置９に検索に係るデータを移動又はコピーしておくことにより、仮にネットワークが切断された場合であっても、録画した映像コンテンツの検索が可能となる。また、ドライブ記録部２２の残容量が少ない場合、ドライブ記録部２２に記録したデータを他の録画装置９のドライブ記録部２２に移動することにより、ユーザは録画装置１のドライブ記録部２２の残容量を増大させることができる。
【００７１】
録画装置１によれば、検索結果の映像コンテンツがサムネイル表示画面７のサムネイル表示部７１ａに動画サムネイルとして表示される。ユーザは、ディスクＤがディスクドライブ２１に挿入されていない状態であっても、文字情報だけの検索結果よりも、より素早くかつ容易に所望の映像コンテンツがどのディスクＤに録画されているか知ることができる。また、リスト表示画面６ａ、６ｂ、６ｃ及びサムネイル表示画面７には、ディスクＩＤと録画者との情報が表示される。これにより、ユーザは自身のディスクＤにどの映像コンテンツが録画されているか、あるいは自身が録画した映像コンテンツがどのディスクＤに記録されているか知ることができる。サムネイル表示画面７では、枠表示エリア７１ｃの背景色から録画者を瞬時に特定することができる。
【００７２】
録画装置１によれば、サムネイル表示画面７における文字情報表示部７１ｂの背景色から再生状況が一目でわかる。これにより、ユーザは録画済みでありながら、まだ視聴していない映像コンテンツを瞬時に把握することができる。
【００７３】
なお、文字情報表示部７１ｂ及び枠表示エリア７１ｃの各背景色は、他の情報を表示することに使用されてもよい。例えば、これらの背景色は、ディスクＩＤ、ジャンル等の表示色であってもよい。
【００７４】
リスト表示画面６ａ、６ｂ、６ｃ及びサムネイル表示画面７には、ディスクＩＤが表示されるが、ディスクＩＤとともに又はディスクＩＤに代えて、ディスクＤ所有者の名前あるいはディスクＤ所有者を示すアイコンを表示してもよい。
あるいは、サムネイル表示画面７において、同一のディスクＤに録画された映像コンテンツに対応する動画表示セル７１を、ＧＵＩ（Graphical User Interface）形式のオペレーティングシステムにおけるフォルダアイコンを模した枠の中にまとめて収納する態様で表示してもよい。即ち、ディスクＤを１つの枠で表現し、その枠の中にそのディスクＤに録画された映像コンテンツの動画表示セル７１を表示するのである。
同様に、サムネイル表示画面７において、同一の録画者に対応する動画表示セル７１を、ＧＵＩ形式のオペレーティングシステムにおけるフォルダアイコンを模した枠の中にまとめて収納する態様で表示してもよい。即ち、録画者を１つの枠で表現し、その枠の中にその録画者が録画した映像コンテンツの動画表示セル７１を表示するのである。
【００７５】
検索画面５において、検索結果表示の入力ボックス５１にリスト表示又はサムネイル表示を選択入力することにより、リスト表示画面６ａ、６ｂ、６ｃとサムネイル表示画面７とを選択表示することができる。しかし、リスト表示画面６ａ、６ｂ、６ｃにサムネイル表示画面７へ遷移するボタンを設けるとともに、サムネイル表示画面７にリスト表示画面６ａ、６ｂ、６ｃへ遷移するボタンを設けてもよい。これにより、ユーザはリスト表示画面６ａ、６ｂ、６ｃとサムネイル表示画面７とを容易に切り替えることができる。
【００７６】
録画装置１によれば、ディスクＤに録画された映像コンテンツを途中で再生停止した場合、未再生映像データが未再生映像記録領域２２ｃに記録される。再生途中の映像コンテンツが選択され、再生が中断された箇所から再生を開始する場合、機器ＩＤに対応する録画装置１の未再生映像記録領域２２ｃに記録した未再生映像データに基づいて、映像コンテンツの再生が行われる。そのため、ユーザはディスクＤがディスクドライブ２１に挿入されていなくても、映像コンテンツの続きを視聴することができる。さらに、録画装置１の未再生映像記録領域２２ｃに未再生映像データが記録されていない場合であっても、通信部４１を介して未再生映像データが記録された他の録画装置９にアクセスすることにより、録画装置１は未再生映像データの再生を再開することができる。
【００７７】
なお、未再生映像データは、映像コンテンツにおける再生停止箇所以降の映像データに限らない。未再生映像データは、再生停止箇所より少し前から最後までの映像データであってもよい。これにより、映像コンテンツの視聴を再開したとき、ユーザは前回視聴した映像コンテンツの展開を容易に思い出すことができ、映像コンテンツの楽しみが増大する。
あるいは、未再生映像データは、再生停止箇所より少し後の箇所から最後までの映像データであってもよい。ユーザは、例えば勝敗が分かっているスポーツ番組等、対象の映像コンテンツを大まかに確認する目的で録画することがある。ユーザが録画した映像コンテンツをスキップ再生しており、途中で再生を停止した場合、ユーザはスキップ再生を再開するために、煩わしい操作の手間を省くことができる。そのために、未再生映像データは通常再生、倍速再生、スキップ再生、スロー再生等の再生モードに関する情報とともに記録されてもよい。
また、映像コンテンツにおける未再生映像データの記録開始箇所は、ユーザが設定できる形態であってもよい。例えば、ユーザが未再生映像データの記録開始箇所を映像コンテンツのチャプター番号で設定することができてもよい。
【００７８】
再生状況が再生途中の状態で、映像コンテンツの再生が再開された場合、図１２の再生終了処理では、バックエンド制御部３４により未再生映像データは機器ＩＤに対応する録画装置１、９の未再生映像記録領域２２ｃに記録済みと判定され（ステップＳ２０４：ＹＥＳ）、ステップＳ２０６に進む。しかし、バックエンド制御部３４は、未再生映像データが機器ＩＤに対応する録画装置１、９の未再生映像記録領域２２ｃに記録済みと判定した場合（ステップＳ２０４：ＹＥＳ）、機器ＩＤに対応する録画装置１、９の未再生映像記録領域２２ｃに記録されている未再生映像データの内、再生が終わった部分を削除する処理をしてもよい。これにより、機器ＩＤに対応する録画装置１、９の未再生映像記録領域２２ｃの記録容量を節約することができるとともに、次回の再生再開に対して支障は生じない。
【００７９】
リモコンＲの例えば十字キー操作により、リスト表示画面６ａ、６ｂ、６ｃの行又はサムネイル表示画面７の動画表示セル７１を選択状態にした場合、リモコンＲの所定ボタンを押下することにより、行又は動画表示セル７１に対応した映像コンテンツが再生される。ここで、カーソルがある行又は動画表示セル７１に対応した映像コンテンツの音声をテレビ受像機４のスピーカから出力してもよい。これにより、ユーザは現在カーソルがある映像コンテンツが何であるか、音声情報からも判断が可能となる。
【００８０】
録画装置１は、権限管理機能を有していてもよい。例えば、リスト表示画面６ａ、６ｂ、６ｃ又はサムネイル表示画面７において、全権を有するユーザは、全件の検索結果を閲覧できるが、他のユーザは自身が所有するディスクＤに記録された映像コンテンツ以外は閲覧できないように限定してもよい。あるいは、全権を有するユーザが、各ディスク所有者又は各録画者に対して機器ＩＤ及び管理番号毎に映像コンテンツの検索結果を閲覧する権限を付与し、一般ユーザは閲覧権限を有する管理番号の映像コンテンツのみを検索結果画面で閲覧できるようにしてもよい。
【００８１】
本実施の形態では、デジタル放送又は外部入力からディスクＤに録画された映像コンテンツの検索処理を扱った。しかし、映像コンテンツが録画されたハードディスクからディスクＤへダビングされた映像コンテンツを検索する場合にも、本実施の形態の検索処理は、同様の効果を奏する。
【００８２】
実施の形態２
実施の形態２は、映像コンテンツの再生途中で再生を停止した場合、サムネイルの動画を再生停止した箇所前後の動画に設定する形態に関する。
図６のステップＳ１０６において、バックエンド制御部３４は、サムネイル記録領域２２ｂにサムネイル用の映像データを記録する。サムネイル用の映像データは、例えば映像コンテンツの先頭から１分間の映像データである。実施の形態２では、映像コンテンツの再生終了処理において、サムネイル記録領域２２ｂに記録した映像データを、再生停止した箇所前後の映像データで上書きする。上書きする映像データの再生時間は、例えば再生停止箇所を挟む前後１分間である。
【００８３】
図１３は、映像コンテンツの再生終了処理の手順を示すフローチャートである。
バックエンド制御部３４は、ディスクＤに録画された映像コンテンツの再生が全て終了したか否か判定する（ステップＳ３０１）。バックエンド制御部３４は、ディスクＤに録画された映像コンテンツの再生が全て終了したと判定した場合（ステップＳ３０１：ＹＥＳ）、ステップＳ３０７に処理を進める。バックエンド制御部３４は、ディスクＤに録画された映像コンテンツの再生が全て終了してないと判定した場合（ステップＳ３０１：ＮＯ）、再生停止の制御信号を受け付けたか否か判定する（ステップＳ３０２）。バックエンド制御部３４は、再生停止の制御信号を受け付けていないと判定した場合（ステップＳ３０２：ＮＯ）、ステップＳ３０１に処理を戻す。バックエンド制御部３４は、再生停止の制御信号を受け付けたと判定した場合（ステップＳ３０２：ＹＥＳ）、ディスクＤに録画された映像コンテンツの再生を停止する（ステップＳ３０３）。
【００８４】
バックエンド制御部３４は、機器ＩＤ及び管理番号に基づいて、機器ＩＤに対応する録画装置１、９のサムネイル記録領域２２ｂの映像データに対して、再生を停止した映像コンテンツの箇所前後１分間の映像データを上書き更新する（ステップＳ３０４）。バックエンド制御部３４は、未再生映像データが機器ＩＤに対応する録画装置１、９の未再生映像記録領域２２ｃに記録済みか否か判定する（ステップＳ３０５）。バックエンド制御部３４は、未再生映像データが機器ＩＤに対応する録画装置１、９の未再生映像記録領域２２ｃに記録済みと判定した場合（ステップＳ３０５：ＹＥＳ）、ステップＳ３０７に処理を進める。バックエンド制御部３４は、未再生映像データが機器ＩＤに対応する録画装置１、９の未再生映像記録領域２２ｃに記録済みではないと判定した場合（ステップＳ３０５：ＮＯ）、未再生映像データを機器ＩＤに対応する録画装置１、９の未再生映像記録領域２２ｃに記録する（ステップＳ３０６）。バックエンド制御部３４は、計時部３９の計時に基づいて、機器ＩＤに対応する録画装置１、９のディスク情報管理領域２２ａの再生済時間を更新し（ステップＳ３０７）、処理を終了する。
【００８５】
録画装置１によれば、ディスクＤに録画した映像コンテンツの内、再生状況が再生途中の映像コンテンツを検索した場合、サムネイル表示画面７のサムネイル表示部７１ａに、再生を停止した箇所前後１分間の動画サムネイルが表示される。これにより、ユーザは検索結果の映像コンテンツを素早くかつ容易に特定することができる。しかも、録画装置１は、検索対象のデータが通信部４１を介して接続された他の録画装置９に記録されている場合であっても、検索でヒットした映像コンテンツの動画サムネイルをサムネイル表示部７１ａに表示することができる。
録画装置１によれば、前回の視聴時にどこまで映像コンテンツを視聴したか瞬時に把握することができる。そのため、再生状況が再生途中の映像コンテンツが複数ある場合、ユーザがどの映像コンテンツを視聴するか決定する上で、録画装置１は分かりやすく有益な情報をユーザに提供することができる。
【００８６】
なお、機器ＩＤに対応する録画装置１、９のサムネイル記録領域２２ｂに上書き更新する映像データは、再生を停止した箇所前後１分間の映像データに限らない。例えば、上書き更新する映像データの映像コンテンツにおける再生部分は、再生停止箇所より前部分のみ又は再生停止箇所から後部分のみでもよい。また、上書き更新する映像データの再生時間は、１分間に限らず、１分より短くても長くてもよい。
【００８７】
映像コンテンツの再生終了処理において、ステップＳ３０４の処理はステップＳ３０６の処理と並列に行ってもよい。あるいは、ステップＳ３０４を省略し、ステップＳ３０６で機器ＩＤに対応する録画装置１、９の未再生映像記録領域２２ｃに記録された未再生映像データの先頭部分から例えば１分間の複製映像データを機器ＩＤに対応する録画装置１、９のサムネイル記録領域２２ｂに転送する処理を行ってもよい。また、ステップＳ３０４を省略し、機器ＩＤに対応する録画装置１、９の未再生映像記録領域２２ｃに記録された未再生映像データの先頭部分から例えば１分間の映像データを、再生状況が再生途中に該当する映像コンテンツのサムネイル用動画に使用してもよい。
【００８８】
実施の形態２は以上の如きであり、その他は実施の形態１と同様であるので、対応する部分には同一の参照番号を付してその詳細な説明を省略する。
【符号の説明】
【００８９】
１      録画装置
２１    ディスクドライブ（読出手段、録画手段、再生手段）
２２    ドライブ記録部（記録部）
２２ａ  ディスク情報管理領域
２２ｂ  サムネイル記録領域
２２ｃ  未再生映像記録領域
３４    バックエンド制御部（記録手段、検索手段）
３６    デコーダ（生成手段）
３７    画像処理部（生成手段）
４１    通信部（接続手段）
Ｄ      ディスク（記録媒体）
【図１】
2012147128.tif 000003
【図２】
2012147128.tif 000004
【図３】
2012147128.tif 000005
【図４】
2012147128.tif 000006
【図５】
2012147128.tif 000007
【図６】
2012147128.tif 000008
【図７】
2012147128.tif 000009
【図８】
2012147128.tif 000010
【図９】
2012147128.tif 000011
【図１０】
2012147128.tif 000012
【図１１】
2012147128.tif 000013
【図１２】
2012147128.tif 000014
【図１３】
2012147128.tif 000015